(57)【特許請求の範囲】
【請求項１】
情報処理装置の本体に開閉或いは着脱可能に装着された収納ケースと、
前記収納ケースの内面側に配置された表示パネルと、
前記表示パネルと前記収納ケースの間に配置され、前記表示パネルを裏面から支持する第１スペーサと、
前記本体に対し前記収納ケースを開いた縦置き状態の前記表示パネルの下端面に接して配置され、前記表示パネルの上下方向へのずれを防止する第２スペーサと、
前記収納ケースの内面にネジ止めにより或いは填め込みにより固定することで、縦置き状態の前記表示パネルの上端面及び前記第２スペーサを介して下端面に接触し、前記表示パネルを前記収納ケースに間接的に位置決め固定する押さえ部材と
を有する情報処理装置の表示パネル筐体。
【請求項２】
前記押さえ部材が、前記表示パネルの上下側面の２箇所に配置された請求項１に記載の情報処理装置の表示パネル筐体。
【請求項３】
前記押さえ部材が、矩形状を有する前記表示パネルの対角方向の隅２箇所に配置された請求項１に記載の情報処理装置の表示パネル筐体。
【請求項４】
前記押さえ部材が、矩形状を有する前記表示パネルの各角部の表面及び両端面との接触面を有するＬ字状に形成され、前記表示パネルの四隅に配置された請求項１に記載の情報処理装置の表示パネル筐体。
【請求項５】
前記第１スペーサが、前記表示パネルの四隅に配置された請求項４に記載の情報処理装置の表示パネル筐体。
【請求項６】
前記収納ケースがチルトヒンジによって前記本体に接続され、前記第２スペーサが、前記収納ケースへ外部衝撃が加わった際に前記表示パネルがチルトヒンジ方向にずれるのを防止するように、前記チルトヒンジに接触している請求項１から５のいずれかに記載の情報処理装置の表示パネル筐体。
【請求項７】
前記表示パネルは、形状、厚さ、パネルサイズ及び表示解像度のいずれかが異なる多種類が用いられ、これら多種類の表示パネルに合わせて、前記第１スペーサ、前記第２スペーサ及び前記押さえ部材がそれぞれ組み合わせ変更使用され、前記多種類の表示パネルが実装される請求項１から６のいずれかに記載の情報処理装置の表示パネル筐体。
【請求項８】
前記多種類の表示パネルの実装に際し、前記表示パネルの被せ蓋として設けられ表示視野となる表示カバー及び前記収納ケースが共通使用される請求項７に記載の情報処理装置の表示パネル筐体。
【発明の詳細な説明】
【０００１】
【発明の属する技術分野】
本発明は、ノートパソコン等の情報処理装置の表示パネル筐体に関し、より詳細には、情報処理装置本体に設けられ、多種の表示パネルを変更させて装着できる情報処理装置の表示パネル筐体に関する。
【０００２】
【従来の技術】
近年、急速に普及しているノートパソコン等の情報処理装置においては、液晶表示部が、装置本体に開閉式表示部として、装着されているのが一般的である。
【０００３】
この液晶表示部は、収納ケース内に装着された表示パネルに、表示視野となる表示カバー板を、被せ蓋として設けてなる表示パネル筐体として、一体化構造体となっている。
【０００４】
ところが、このような表示部は、表示パネルの表示画面サイズ、表示解像度、又は、その厚さ、形状等が変更される場合が多く、その度に、この表示パネル筐体における筐体のケース本体一式等を異なるものに代えることは、表示パネル部品として高価な表示パネル筐体を変更させ、又は廃棄させなければならないのが実状である。
【０００５】
【発明が解決しようとする課題】
このような状況下にあって、既に上述した如く、ノートパソコン等の情報処理装置本体に、開閉式又は着脱式に設けられている情報表示部は、従来から、表示パネルの表示画面サイズ、表示解像度、その他その厚さ、形状等が変更される場合が多く、通常、その度に、この表示パネル筐体における筐体のケース本体一式等を代替変更させるのが一般的である。
【０００６】
そこで、このケース本体を変更させることなく、上述した如くの多種パネルを、同一の形式の表示パネル筐体に実装させることができれば、コスト的にも、また、廃棄する部品量を減少させるうえからも、極めて有効である。
【０００７】
また、このような情報処理装置の製品寿命を長くするためからも、表示パネル筐体を変更することなく、その時点で、最新の表示パネルを取り替えて実装させることが可能であれば、汎用性のある実装方法としても重要視される。
【０００８】
そこで、本発明の目的は、上述した多種類のパネルを、同一形式の収納ケースに、低コストの部品で極めて簡便に実装することができ、しかも、汎用性を有する情報処理装置の表示パネル筐体を提供することである。
【０００９】
【課題を解決するための手段】
上記目的を達成するため、この発明に係る情報処理装置の表示パネル筐体は、表示パネルの装着構造に着目することで、表示パネル筐体の本体を変更することなく、上述した多種類のパネルのそれぞれを容易に装着することができるようにしたものである。
【００１０】
この発明に係る情報処理装置の表示パネル筐体は、情報処理装置の本体に開閉或いは着脱可能に装着された収納ケースと、前記収納ケースの内面側に配置された表示パネルと、前記表示パネルと前記収納ケースの間に配置され、前記表示パネルを裏面から支持する第１スペーサと、前記本体に対し前記収納ケースを開いた縦置き状態の前記表示パネルの下端面に接して配置され、前記表示パネルの上下方向へのずれを防止する第２スペーサと、前記収納ケースの内面にネジ止めにより或いは填め込みにより固定することで、縦置き状態の前記表示パネルの上端面及び前記第２スペーサを介して下端面に接触し、前記表示パネルを前記収納ケースに間接的に位置決め固定する押さえ部材とを有する。
すなわち、本発明によれば、表示パネル筐体が、情報処理装置の本体に開閉式又は着脱式に設けられ、形状、厚さ及び表示パネルサイズ、表示解像度等の何れか異なる表示パネルのそれぞれを、共通する所定の表示パネル筐体に実装することができる。
【００１１】
そこで、この表示パネル筐体が、異なる表示パネルに対して、共通する所定の収納ケース及び共通する所定の表示カバーとを有している。この表示カバーを被せ蓋にして、この収納ケース内に、これらの表示パネルそれぞれが装着される。
【００１２】
そのために、この表示パネルの背面と収納ケースの内側面と間に第１スペーサが設けられる。
【００１３】
また、例えば、開閉式の表示パネル筐体の開時に、表示パネルの上下方向の固定位置決めをする第２スペーサが、収納ケースの下部内側面と表示パネルの下部外側面と間に設けられる。
【００１４】
次いで、表示パネルを少なくとも２個所の押さえ部材によって、この収納ケースに固定させることで、この第１スペーサと表示カバーと間に、異なるそれぞれの表示パネルを、共通する表示パネル筐体に支持させることができる。
【００１５】
また、本発明によれば、情報処理装置本体に開閉式又は着脱式に設けられ、形状、厚さ、パネルサイズ及び表示解像度等の何れかが異なる表示パネルを実装することができる、共通する表示パネル筐体を提供する。
【００１６】
そこで、この表示パネル筐体において、共通する所定の表示カバーとからなる共通する所定の収納ケース内にこれらの表示パネルを固定させる際に、この筐体本体を代えることなく、これらの異なる表示パネルに合わせて、適宜に第１スペーサと第２スペーサ及び押さえ部材を組合わせて使用する。
【００１７】
これによって、高価な部品である表示パネル本体部材である収納ケース及び表示カバー等を変更させずに、低廉で、しかも、構造的に単純な形状であるスペーサ部品等を変更させるだけで、異なる表示パネルを実装できるものである。
【００１８】
【発明の実施の形態】
以下に、図１及び図２を参照して、本発明による情報処理装置の表示パネル筐体の実施の形態を説明する。
【００１９】
図１及び図２に示されている情報処理装置は、ノートパソコンであって、本発明の実施の形態の一例である。
【００２０】
既に上述した表示パネルの実装方法及びその表示パネル筐体について、図１に示す如く、共通する所定の収納ケース１に、異なる表示パネル２が装着されている。例えば、図１において、この表示パネル２が、その４隅に施す押さえ部材３によって、この収納ケース１内にネジ止め式に固定されている。
【００２１】
この状態を図２に示すその分解斜視図で説明すると、この表示パネル２が、収納ケース１内の４隅の近傍面上に設けるスペーサ４と、図１に示す表示パネルが開時状態で、その収納ケース１内の内側下方側面と、表示パネル２の下方側面と間に設けられる第２スペーサ５とが、それぞれ、表示パネル２の裏面からの支持部材（第１スペーサ４）として、また、第２スペーサ５が、表示パネル２の上下方向へのずれ防止部材として設けられている。
【００２２】
また、特に、この第２スペーサ５をこのように設けることで、表示部の開時において、この第２スペーサ５は、表示パネル２とチルトヒンジ７との間に設けることになるので、外部衝撃等に対して、表示パネル２が、チルトヒンジ方向へのずれを効果的に防止するものである。
【００２３】
また、この状態で、押さえ部材３を表示パネル２の角に合わせて設置し、上述したネジ止め押さえ部材が収納ケース１に固定される。次いで、この状態で、表示カバ６が、この収納ケース１に、着脱可能な形で、適宜自在な手段で被さるように装着される。
【００２４】
また、この第２スペーサ５が、例えば、開閉式の表示パネル筐体の開時には、表示パネルを、上下方向に固定位置決めする部材として、収納ケースの下部内側面と表示パネルの下部外側面と間に設けられている。
【００２５】
これによって、表示パネルが、既に上述した如くの多種に及んでも、この表示パネル筐体の本体である収納ケース１及び表示カバー６を共通する所定の部品であっても、この異なる多種の表示パネルを、第１スペーサと第２スペーサと押さえ部材とを、それぞれ組合わせて変更使用することで、コスト的に高価であるこの筐体本体の部品を変更させることなく、表示パネルを容易に、一体化構造体として収納ケース内に、実装される。
【００２６】
また、本発明において、図示されてはいないが、収納ケース１内に、表示パネル２を固定させるに、この押さえ部材を、ネジ止め式の他に、適宜はめ込み式で容易に固定させることができる。
【００２７】
また、この押さえ部材によって固定させるに、既に上述した押さえ部材の使用方法に限定されず、表示パネル２の表示時、この表示パネルに対して、両側面の方向から、又は上下側面の方向からの２個所、又対角方向の隅２個所からの固定でも適宜好適に固定することができる。
【００２８】
【発明の効果】
以上から、本発明によれば、共通する収納ケースを共通する表示カバーを表示パネル筐体に用いて、コスト的にも、形状的にも容易に容易することができるスペーサ等の部材を用いることにより、表示パネルが、形状、厚さ、表示パネルサイズ及び表示解像度等の何れかが異なる多種に及んでも、表示パネル筐体の本体を変更させることなく、表示パネルを実装させることができる。
【００２９】
また、特に、表示パネルサイズに係わって、表示カバーを変更させるに及んでも、必要最小限の部品の変更で実装することができる。
【００３０】
また、表示パネルを直接、ネジ固定や、接着させることがないので、表示時に、収納ケースや表示カバー等に撓み変形が生じても、表示パネル自体へ変形ストレスを極力低減させることができる。
【００３１】
また、このような表示パネルの変更するに及んでも、従来のように、表示パネル筐体を変更させることを低減できるので、必要以上に部品の廃棄量を低減させることができる。
【図面の簡単な説明】
【図１】表示パネル筐体の表示カバーを取り外した情報処理装置（ノートパソコン）の斜視図を表す。
【図２】本発明による表示パネル筐体の分解斜視図を表す。
【符号の説明】
１  収納ケース
２  表示パネル
３  押さえ部材
４  第１スペーサ（背面）
５  第２スペーサ（側面）
６  表示カバー
７  チルトヒンジ
８  本体
【図１】
0003543729.tif 000002
【図２】
0003543729.tif 000003